(57)【要約】      （修正有）【課題】９パターンものバリエーションを実現できる組み替え式ソファを提供する。【解決手段】組み替え式ソファ１０によれば、ソファ本体１と、２つの肘掛け部材２，２と、オットマン３と、長クッション４と、小クッション５と、中クッション６との６つの部材を使用して、新たな部材の追加や使用している部材のいずれかを余らすことなく、９パターンものバリエーションを実現できる。よって、組み替え式ソファ１０を使用するユーザーが、あるパターンで使用した後、別のパターンに使用状態を変更する場合にも、新たな部材の追加が不要であるので、そのパターン変更を確実に行うことができる。また、余らせる部材がないので、各パターンを実現する上で、片付けておく部材が無い。よって、片付けスペースの確保が不要になるし、片付けておいた部材の紛失の危険性も回避できる。【選択図】図７
0003206400.tif 000002
【実用新案登録請求の範囲】
【請求項１】
背もたれ部と座面を有する座部とを備えたソファ本体と、オットマンと、２つの肘掛け部材とを備えた組み替え式ソファにおいて、
前記オットマンの座面高さは、前記ソファ本体の座面高さと略同一に構成され、
前記２つの肘掛け部材の平面視における幅は、それぞれ、前記ソファ本体の背もたれ部の幅と略同一に構成されると共に、その平面視における長さは、それぞれ前記ソファ本体の奥行きと略同一に構成されており、
前記２つの肘掛け部材は、それぞれ、前記ソファ本体の両側と前記オットマンの一側とに着脱可能に構成され、
前記１の肘掛け部材が前記ソファ本体又は前記オットマンに装着された状態の肘掛け部材の上面位置は、前記ソファ本体の背もたれ部の上面位置と略同一に構成され、
前記１の肘掛け部材が前記オットマンの一側に装着された状態の奥行きは、前記ソファ本体の奥行きと略同一に構成されることを特徴とする組み替え式ソファ。
【請求項２】
前記２つの肘掛け部材は、それぞれ同形状に形成されていることを特徴とする請求項１記載の組み替え式ソファ。
【請求項３】
前記肘掛け部材が装着される前記オットマンの一側の長さは、前記肘掛け部材の平面視における長さと略同一に構成されていることを特徴とする請求項１又は２に記載の組み替え式ソファ。
【請求項４】
前記オットマンは、前記１の肘掛け部材が装着された状態の平面視において、略正方形に構成されることを特徴とする請求項１から３のいずれかに記載の組み替え式ソファ。
【請求項５】
前記ソファ本体の座面または前記オットマンの座面に載置される３つのクッションを有し、
前記３つのクッションは、それぞれ略同一の厚さに構成され、
前記３つのクッションのうち、第１及び第２クッションの一辺は、それぞれ前記ソファ本体の座面の奥行きと略同一に構成されるとともに、その第１及び第２クッションの他辺の合計は、前記ソファ本体の幅と略同一に構成され、
前記３つのクッションのうち、第３クッションの平面視におけるサイズは、前記オットマンの座面サイズと略同一に構成されていることを特徴とする請求項１から４のいずれかに記載の組み替え式ソファ。
【請求項６】
前記肘掛け部材の平面視における幅をａとし、前記第２クッションの他辺の長さをｂとした場合、
前記肘掛け部材の平面視における長さは２ａ＋ｂに構成され、
前記ソファ本体は、幅が３ａ＋３ｂに、奥行きが２ａ＋ｂに、座面の奥行きがａ＋ｂに、それぞれ構成され、
前記オットマンは、平面視において、一辺の長さが２ａ＋ｂに、他辺の長さがａ＋ｂに、ぞれぞれ構成され、
前記第１クッションは、平面視において、一辺の長さがａ＋ｂに、他辺の長さが３ａ＋２ｂに、ぞれぞれ構成され、
前記第２クッションは、平面視において、一辺の長さがａ＋ｂに構成され、
前記第３クッションは、平面視において、一辺の長さが２ａ＋ｂに、他辺の長さがａ＋ｂに、ぞれぞれ構成されることを特徴とする請求項１から５のいずれかに記載の組み替え式ソファ。
【考案の詳細な説明】
【技術分野】
【０００１】
本考案は、組み替え式ソファに関し、特に、９パターンものバリエーションを実現できる組み替え式ソファに関するものである。
【背景技術】
【０００２】
従来より、種々の組み替え式ソファが提案されている。特許文献１には、背もたれと肘掛けの装着位置を変更することにより、また特許文献２には、スツールベースとロングクッションの配設位置を変更することにより、それぞれ複数のバリエーションを実現できる組み替え式ソファが開示されている。
【先行技術文献】
【特許文献】
【０００３】
【特許文献１】特開２０１２−２２３４８４号公報
【特許文献２】実用新案登録第３１４７９７６号公報
【考案の概要】
【考案が解決しようとする課題】
【０００４】
しかしながら、特許文献１のソファでは、背もたれと肘掛けとの装着位置の変更によるものであり、特許文献２のソファでは、スツールベースとロングクッションとの配設位置の変更によるものなので、変更できるバリエーションの数が少ないという問題点があった。例えば、特許文献１の実施例１，２（図１〜図７）では、バリエーション数は４であり、特許文献２の実施形態（図１〜図５）でも、バリエーション数は４であった。バリエーション数を増やすためには、特許文献１の実施例３（図１０）や、特許文献２の変形例（図６）のように、新たな部材を追加しなければならなかった。
【０００５】
本考案は、上記の問題点を解決するためになされたものであり、９パターンものバリエーションを実現できる組み替え式ソファを提供することを目的とする。
【課題を解決するための手段および考案の効果】
【０００６】
この目的を達成するために請求項１記載の組み替え式ソファは、背もたれ部と座面を有する座部とを備えたソファ本体と、オットマンと、２つの肘掛け部材とを備え、前記オットマンの座面高さは、前記ソファ本体の座面高さと略同一に構成され、前記２つの肘掛け部材の平面視における幅は、それぞれ、前記ソファ本体の背もたれ部の幅と略同一に構成されると共に、その平面視における長さは、それぞれ前記ソファ本体の奥行きと略同一に構成されており、前記２つの肘掛け部材は、それぞれ、前記ソファ本体の両側と前記オットマンの一側とに着脱可能に構成され、前記１の肘掛け部材が前記ソファ本体又は前記オットマンに装着された状態の肘掛け部材の上面位置は、前記ソファ本体の背もたれ部の上面位置と略同一に構成され、前記１の肘掛け部材が前記オットマンの一側に装着された状態の奥行きは、前記ソファ本体の奥行きと略同一に構成されている。ここで、「略同一」とは、公差を考慮した数値範囲をいい、本考案では、±１０ｍｍ、好ましくは±５ｍｍの範囲内サイズをいう。
【０００７】
請求項１記載の組み替え式ソファによれば、上記構成を有しているので、次の９つのバリエーションを実現できる。詳細には、２つの肘掛け部材をソファ本体の両側に装着し、オットマンをソファ本体と離した状態で使用する第１パターン（図１（ａ）参照）。
【０００８】
２つの肘掛け部材をソファ本体の両側に装着し、オットマンの肘掛け部材が装着されない側面を、ソファ本体の右側又は左側に並設した状態で使用する第２、第３パターン（図３（ａ１）,（ａ２）参照）。かかる第２、第３パターンによれば、ソファ本体の座面とオットマンの座面とを組み合わせて、ソファ本体の座面の一部が延長されたショエーズロングタイプのソファを実現できる。
【０００９】
２つの肘掛け部材の１つをソファ本体の一側（左側または右側）へ装着し、もう１つをオットマンの一側に装着し、オットマンをソファ本体と離した状態で使用する第４、第５パターン（図４（ａ１），（ａ２）参照）。かかる第４、第５パターンによれば、ソファ本体とオットマンとを、座面高さと背もたれ高さ（又は肘掛け高さ）と座面奥行きとが略同一の、ソファ本体と、ソファ本体から分離されたソファ（オットマン）とのソファセットとして使用できる。
【００１０】
２つの肘掛け部材の１つをソファ本体の一側（左側または右側）へ装着し、もう１つをオットマンの一側に装着し、オットマンに装着された肘掛け部材をソファ本体の背もたれ部と一直線上になるようにオットマンとソファ本体とを並設して使用する第６、第７パターン（図５（ａ１），（ａ２）参照）。かかる第６、第７パターンによれば、ソファ本体の幅を長くしたソファとして使用できる。
【００１１】
２つの肘掛け部材の１つをソファ本体の一側（左側または右側）へ装着し、もう１つをオットマンの一側に装着し、オットマンに装着された肘掛け部材をソファ本体に装着された肘掛け部材と一直線上になるようにオットマンとソファ本体とを並設して使用する第８、第９パターン（図６（ａ１），（ａ２）参照）。かかる第８、第９パターンによれば、座面高さと背もたれ高さ（又は肘掛け高さ）と座面奥行きとが略同一の、Ｌ字型のソファとして使用できる。
【００１２】
以上の通り、請求項１記載の組み替え式ソファによれば、上記第１〜第９の９パターンものバリエーションを実現できるという効果がある。
【００１３】
請求項２記載の組み替え式ソファは、請求項１記載の組み替え式ソファにおいて、前記２つの肘掛け部材は、それぞれ同形状に形成されている。よって、肘掛け部材を異なった形状とした場合に比べて、部材の種類を少なくできるので、その分、製造コストを低減できると共に、部材の在庫管理を簡略化できるという効果がある。
【００１４】
請求項３記載の組み替え式ソファは、請求項１または２に記載の組み替え式ソファにおいて、前記肘掛け部材が装着される前記オットマンの一側の長さは、前記肘掛け部材の平面視における長さと略同一に構成されている。よって、肘掛け部材を、オットマンの一側から出っ張らせることなく、オットマンの一側に揃えた状態で装着できるという効果がある。
【００１５】
請求項４記載の組み替え式ソファは、請求項１から３のいずれかに記載の組み替え式ソファにおいて、前記オットマンは、前記１の肘掛け部材が装着された状態の平面視において、略正方形に構成される。よって、肘掛け部材の装着されたオットマンを、ソファ本体に対して並設した場合にも、あるいは分離して配置した場合にも、いずれの場合にもバランス良く配置できるという効果がある。
【００１６】
請求項５記載の組み替え式ソファは、請求項１から４のいずれかに記載の組み替え式ソファにおいて、前記ソファ本体の座面または前記オットマンの座面に載置される３つのクッションを有し、前記３つのクッションは、それぞれ略同一の厚さに構成され、前記３つのクッションのうち、第１及び第２クッションの一辺は、それぞれ前記ソファ本体の座面の奥行きと略同一に構成されるとともに、その第１及び第２クッションの他辺の合計は、前記ソファ本体の幅と略同一に構成され、前記３つのクッションのうち、第３クッションの平面視におけるサイズは、前記オットマンの座面サイズと略同一に構成されている。よって、請求項５記載の組み替え式ソファによれば、第１〜第３クッションを使用して、上記第１〜第９の９つのバリエーションのすべてについて、その座面を覆うことができるという効果がある（図１（ｂ），図３〜６（ｂ１），（ｂ２）参照）。
【００１７】
請求項６記載の組み替え式ソファは、請求項１から５のいずれかに記載の組み替え式ソファにおいて、前記肘掛け部材の平面視における幅をａとし、前記第２クッションの他辺の長さをｂとした場合、前記肘掛け部材の平面視における長さは２ａ＋ｂに構成され、前記ソファ本体は、幅が３ａ＋３ｂに、奥行きが２ａ＋ｂに、座面の奥行きがａ＋ｂに、それぞれ構成され、前記オットマンは、平面視において、一辺の長さが２ａ＋ｂに、他辺の長さがａ＋ｂに、ぞれぞれ構成され、前記第１クッションは、平面視において、一辺の長さがａ＋ｂに、他辺の長さが３ａ＋２ｂに、ぞれぞれ構成され、前記第２クッションは、平面視において、一辺の長さがａ＋ｂに構成され、前記第３クッションは、平面視において、一辺の長さが２ａ＋ｂに、他辺の長さがａ＋ｂに、ぞれぞれ構成される。よって、請求項６記載の組み替え式ソファによれば、寸法ａ，ｂを変更することにより、上記第１〜第９の９つのバリエーションを実現できる組み替え式ソファを、各種サイズ製作できるという効果がある。
【図面の簡単な説明】
【００１８】
【図１】（ａ）は、本考案の一実施の形態における組み替え式ソファの各部材を分解した斜視図であり、（ｂ）は、各部材を組み合わせたバリエーションの第１パターンの斜視図である。
【図２】（ａ）は、組み替え式ソファの各部材を分解した平面図であり、（ｂ）は、各部材を組み合わせたバリエーションの第１パターンの平面図である。
【図３】第２，第３パターンのバリエーションを示した斜視図である。
【図４】第４，第５パターンのバリエーションを示した斜視図である。
【図５】第６，第７パターンのバリエーションを示した斜視図である。
【図６】第８，第９パターンのバリエーションを示した斜視図である。
【図７】第１〜第９パターンのバリエーションに、３つの背もたれクッションを組み合わせた使用例を示した斜視図である。
【考案を実施するための形態】
【００１９】
以下、本考案の好ましい実施の形態について、添付図面を参照して説明する。まず、図１を参照して、本考案の一実施の形態における組み替え式ソファ１０の構成を説明する。図１（ａ）は、組み替え式ソファ１０の各部材を分解した斜視図であり、（ｂ）は、各部材を組み合わせたバリエーションの第１パターンの斜視図である。
【００２０】
図１（ａ）の通り、組み替え式ソファ１０は、ソファ本体１と、２つの肘掛け部材２，２と、オットマン３と、長クッション４と、小クッション５と、中クッション６とを有して構成されている。
【００２１】
ソファ本体１は、矩形状の座面１ａ１を有する座部１ａと、その座部１ａの一端に側面視Ｌ字型に固設された背もたれ部１ｂと、座部１ａの下面に固設された複数本の脚部１ｃとを有して構成されている。ソファ本体１の両側における座面１ａ１上には、肘掛け部材２のＬ字金具２ａとボルト（図示せず）によって結合される金具１ａ２が、それぞれ２つずつ配設されている。金具１ａ２は、その上面が座面１ａ１の上面と面一になるように座部１ａに固着されている。
【００２２】
肘掛け部材２は、２つ設けられ、それぞれ同形状に形成されている。肘掛け部材２は、側面視矩形状に形成されており、その高さはソファ本体１の背もたれ部１ｂの高さと略同一に、その長さ（奥行き）はソファ本体１の奥行きと略同一に構成されている。肘掛け部材２の平面視における幅は、ソファ本体１の背もたれ部１ｂの幅と略同一に構成されている。なお、本実施形態でいうところの「略同一」とは、公差を考慮した数値範囲をいい、本実施形態では、±１０ｍｍ、好ましくは±５ｍｍの範囲内サイズをいう。
【００２３】
肘掛け部材２の一側面の下方には、ソファ本体１の金具１ａ２と結合される２つのＬ字金具２ａがそれぞれ固着されている。このＬ字金具２ａをソファ本体１の金具１ａ２にボルトによって結合させることにより、肘掛け部材２をソファ本体１の側面に着脱自在に装着することができる。このＬ字金具２ａの取り付け位置は、肘掛け部材２をソファ本体１の側面に装着した場合に、ソファ本体１に装着された肘掛け部材２の上面位置とソファ本体１の背もたれ部１ｂの上面位置とが略同一となる位置とされている。
【００２４】
なお、肘掛け部材２は同形状に形成されているので、肘掛け部材を異なった形状とした場合に比べて、部材の種類を少なくできる。よって、その分、製造コストを低減できると共に、部材の在庫管理等を簡略化できる。
【００２５】
オットマン３は、矩形状の座面３ａ１を有する座部３ａと、その座部３ａの下面に固設された複数本の脚部３ｂとを有して構成されている。オットマン３の一側における座面３ａ１上には、肘掛け部材２のＬ字金具２ａとボルト（図示せず）によって結合される金具３ａ２が２つ配設されている。金具３ａ２は、その上面が座面３ａ１の上面と面一になるように座部３ａに固着されている。この金具３ａ２に肘掛け部材２のＬ字金具２ａをボルトによって結合させることにより、オットマン３の一側に肘掛け部材２を着脱自在に装着することができる。
【００２６】
オットマン３の座面３ａ１の高さは、ソファ本体１の座面１ａ１の高さと略同一に構成されている。よって、オットマン３に装着された肘掛け部材２の上面位置は、ソファ本体１の背もたれ部１ｂの上面位置と略同一となる。また、オットマン３の座部３ａの厚さは、ソファ本体１の座部１ａの厚さと略同一に構成されている。よって、オットマン３に装着された肘掛け部材２の下端は、オットマン３の座部３ａの下端と略同一になる。
【００２７】
図１（ｂ）は、２つの肘掛け部材２を、ソファ本体１の両側に装着した状態を図示したものである。ソファ本体１の座面１ａ１上には、長クッション４と小クッション５とが載置され、オットマン３の座面３ａ１上には中クッション６が載置される。各クッション４〜６の厚さは略同一に構成される。長クッション４と小クッション５の一辺サイズは、それぞれソファ本体１の座面１ａ１の奥行きと略同一に構成され、長クッション４と小クッション５の他辺サイズの合計は、ソファ本体１の幅と略同一に構成されている。中クッション６のサイズは、平面視におけるオットマン３の座面３ａ１サイズと略同一に構成されている。
【００２８】
以上の通り、図１（ａ）（ｂ）のバリエーションでは、肘掛け部材２をソファ本体１の側面に装着した場合には、ソファ本体１の背もたれ部１ｂの上面位置は、ソファ本体１に装着された肘掛け部材２の上面位置と略同一となる。また側面視において、ソファ本体１の座部１ａ及び背もたれ部１ｂの外周は、肘掛け部材２の外周と一致する。よって、ソファ本体１と、そのソファ本体１に装着された肘掛け部材２との一体感を大きなものとできる。またソファ本体１の座面１ａ１上には、長クッション４と小クッション５とが寸法良く載置され、オットマン３の座面３ａ１上には、中クッション６が寸法良く載置される。図１（ａ）（ｂ）の状態が、本実施形態の組み替え式ソファ１０のバリエーションの第１パターンである。
【００２９】
次に図２を参照して、本実施形態の組み替え式ソファ１０の平面視におけるサイズを説明する。図２（ａ）は、組み替え式ソファ１０の各部材１〜３を分解した平面図であり、図２（ｂ）は、各部材１〜６を組み合わせたバリエーションの第１パターンの平面図である。組み替え式ソファ１０は、肘掛け部材２の幅ａと、小クッション５の他辺（短辺）サイズｂとを基準に構成されている。
【００３０】
図２（ａ）の通り、具体的には、ソファ本体１は、背もたれ部１ｂの幅が１５０ｍｍ（＝ａ）、奥行きが８００ｍｍ（＝２ａ＋ｂ）、座面１ａ１の奥行きが６５０ｍｍ（＝ａ＋ｂ）、座面１ａ１の幅（ソファ本体１の幅）が１９５０ｍｍ（＝３ａ＋３ｂ）とされている。肘掛け部材２は、幅が１５０ｍｍ（＝ａ）、平面視における長さがソファ本体１の奥行きと同じ８００ｍｍ（＝２ａ＋ｂ）とされている。オットマン３は、肘掛け部材２が装着される一側（長辺）の長さが、肘掛け部材２の平面視における長さと同じ８００ｍｍ（＝２ａ＋ｂ）、他側（短辺）の長さが、ソファ本体１の座面１ａ１の奥行きと同じ６５０ｍｍ（＝ａ＋ｂ）とされている。
【００３１】
また図２（ｂ）の通り、長クッション４は、一辺（短辺）がソファ本体１の座面１ａ１の奥行きと同じ６５０ｍｍ（＝ａ＋ｂ）、他辺（長辺）が１４５０ｍｍ（＝３ａ＋２ｂ）とされ、小クッション５は、一辺（長辺）がソファ本体１の座面１ａ１の奥行きと同じ６５０ｍｍ（＝ａ＋ｂ）、他辺（短辺）が５００ｍｍ（＝ｂ）とされている。更に中クッション６は、オットマン３の座面３ａ１サイズと同じで、短辺が６５０ｍｍ（＝ａ＋ｂ）、長辺が８００ｍｍ（＝２ａ＋ｂ）の矩形状に形成されている。
【００３２】
次に図３から図６を参照して、本実施形態の組み替え式ソファ１０の第２〜第９パターンのバリエーションを説明する。図３は、第２，第３パターンのバリエーションを示した斜視図である。図３（ａ１）は、ソファ本体１の両側に肘掛け部材２を装着し、ソファ本体１の右側にオットマン３を配置したクッション４〜６無しの第２パターンを示した斜視図であり、図３（ｂ１）は、そのクッション４〜６有りの第２パターンを示した斜視図である。同様に、図３（ａ２）は、ソファ本体１の両側に肘掛け部材２を装着し、ソファ本体１の左側にオットマン３を配置したクッション４〜６無しの第３パターンを示した斜視図であり、図３（ｂ２）は、そのクッション４〜６有りの第３パターンを示した斜視図である。
【００３３】
第２，第３パターンのバリエーションでは、２つの肘掛け部材２を、ソファ本体１の両側に装着し、オットマン３の短辺側をソファ本体１の座部１ａの右側（図３（ａ１））または左側（図３（ａ２））に配置し、長クッション４をソファ本体１から突出させて縦長に使用する（図３（ｂ１）（ｂ２））。これにより、座面の一部が延長されたショエーズロングタイプのソファを実現できる。加えて、前述した通り、ソファ本体１の背もたれ部１ｂの上面位置と、ソファ本体１に装着された肘掛け部材２の上面位置とは略同一に構成されるので、一体感のあるソファを演出できる。
【００３４】
また、オットマン３の短辺（６５０ｍｍ＝ａ＋ｂ）と長クッション４の短辺とは略同サイズに構成され、且つ、ソファ本体１の座面１ａ１の奥行き（６５０ｍｍ＝ａ＋ｂ）と、オットマン３の長辺（８００ｍｍ＝２ａ＋ｂ）との合計は、長クッション４の長辺サイズ（１４５０ｍｍ＝３ａ＋２ｂ）と略同サイズに構成されるので、長クッション４を、ソファ本体１とオットマン３とに収まりよく載置できる。
【００３５】
加えて、長クッション４の短辺（６５０ｍｍ＝ａ＋ｂ）と、小クッション５の短辺（５００ｍｍ＝ｂ）と、中クッション６の長辺（８００ｍｍ＝２ａ＋ｂ）との合計は、ソファ本体１の幅（１９５０ｍｍ＝３ａ＋３ｂ）と略同一に構成され、且つ、小クッション５の長辺（６００ｍｍ＝ａ＋ｂ）と、中クッション６の短辺とは、それぞれソファ本体１の座面１ａ１の奥行きと略同一に構成される。よって、長クッション４が載置されたソファ本体１の残りの座面１ａ１上に、小クッション５と中クッション６とを収まりよく載置できる。
【００３６】
図４は、第４，第５パターンのバリエーションを示した斜視図である。図４（ａ１）は、１の肘掛け部材２をソファ本体１の左側に装着し、他の肘掛け部材２をオットマン３に装着する。その上で、オットマン３をソファ本体１の右側に、オットマン３に装着された肘掛け部材２がソファ本体１の背もたれ部１ｂと略直交するように、両者を離して配置したクッション４〜６無しの第４パターンを示した斜視図であり、図４（ｂ１）は、そのクッション４〜６有りの第４パターンを示した斜視図である。
【００３７】
同様に、図４（ａ２）は、１の肘掛け部材２をソファ本体１の右側に装着し、他の肘掛け部材２をオットマン３に装着する。その上で、オットマン３をソファ本体１の左側に、オットマン３に装着された肘掛け部材２がソファ本体１の背もたれ部１ｂと略直交するように、両者を離して配置したクッション４〜６無しの第５パターンを示した斜視図であり、図４（ｂ１）は、そのクッション４〜６有りの第５パターンを示した斜視図である。
【００３８】
第４，第５パターンのバリエーションでは、前述した通り、ソファ本体１の背もたれ部１ｂの上面位置と、ソファ本体１及びオットマン３に装着された肘掛け部材２の上面位置とは略同一に構成されるので、一体感のあるソファセットを演出できる。
【００３９】
またソファ本体１には、長クッション４と小クッション５とが載置されるが、長クッション４の長辺（１４５０ｍｍ＝３ａ＋２ｂ）と、小クッション５の短辺（５００ｍｍ＝ｂ）との合計サイズは、ソファ本体１の幅（１９５０ｍｍ＝３ａ＋３ｂ）と略同一であり、長クッション４の短辺と、小クッション５の長辺（６５０ｍｍ＝ａ＋ｂ）とは、それぞれソファ本体１の座面１ａ１の奥行きと略同一に構成されるので、ソファ本体１に長クッション４と小クッション５とを収まりよく載置できる。更に、肘掛け部材２が装着されたオットマン３の座面３ａ１に載置される中クッション６は、オットマン３の座面３ａ１サイズと略同一に構成されるので、オットマン３に中クッション６を収まりよく載置できる。
【００４０】
図５は、第６，第７パターンのバリエーションを示した斜視図である。図５（ａ１）は、１の肘掛け部材２をソファ本体１の右側に装着し、他の肘掛け部材２をオットマン３に装着する。その上で、オットマン３をソファ本体１の左側に、オットマン３に装着された肘掛け部材２がソファ本体１の背もたれ部１ｂと一直線上になるように、両者を並設して配置したクッション４〜６無しの第６パターンを示した斜視図であり、図５（ｂ１）は、そのクッション４〜６有りの第６パターンを示した斜視図である。
【００４１】
同様に、図５（ａ２）は、１の肘掛け部材２をソファ本体１の左側に装着し、他の肘掛け部材２をオットマン３に装着する。その上で、オットマン３をソファ本体１の右側に、オットマン３に装着された肘掛け部材２がソファ本体１の背もたれ部１ｂと一直線上になるように、両者を並設して配置したクッション４〜６無しの第７パターンを示した斜視図であり、図５（ｂ２）は、そのクッション４〜６有りの第７パターンを示した斜視図である。
【００４２】
第６，第７パターンのバリエーションでは、前述した通り、ソファ本体１の背もたれ部１ｂの上面位置と、ソファ本体１及びオットマン３に装着された肘掛け部材２の上面位置とは略同一に構成され、且つ、ソファ本体１の奥行きと肘掛け部材２が装着されたオットマン３の奥行きとは略同一に構成されるので、ソファ本体１の幅を長くした、一体感のあるロングソファを実現できる。
【００４３】
またソファ本体１及びオットマン３の座面１ａ１，３ａ１の合計幅（２７５０ｍｍ＝５ａ＋４ｂ）は、各クッション４〜６の幅の合計サイズと略同一であり、ソファ本体１及びオットマン３の座面１ａ１，３ａ１の奥行き（６５０ｍｍ＝ａ＋ｂ）は、各クッション４〜６の奥行きと略同一である。よって、ソファ本体１及びオットマン３の座面１ａ１，３ａ１上に、各クッション４〜６を収まりよく載置できる。
【００４４】
図６は、第８，第９パターンのバリエーションを示した斜視図である。図６（ａ１）は、１の肘掛け部材２をソファ本体１の右側に装着し、他の肘掛け部材２をオットマン３に装着する。その上で、オットマン３をソファ本体１の右側に、オットマン３に装着された肘掛け部材２がソファ本体１に装着された肘掛け部材２と一直線上になるように、両者を並設して配置したクッション４〜６無しの第８パターンを示した斜視図であり、図６（ｂ１）は、そのクッション４〜６有りの第８パターンを示した斜視図である。
【００４５】
同様に、図６（ａ２）は、１の肘掛け部材２をソファ本体１の左側に装着し、他の肘掛け部材２をオットマン３に装着する。その上で、オットマン３をソファ本体１の左側に、オットマン３に装着された肘掛け部材２がソファ本体１に装着された肘掛け部材２と一直線上になるように、両者を並設して配置したクッション４〜６無しの第９パターンを示した斜視図であり、図６（ｂ２）は、そのクッション４〜６有りの第９パターンを示した斜視図である。
【００４６】
第８，第９パターンのバリエーションでは、前述した通り、ソファ本体１の背もたれ部１ｂの上面位置と、ソファ本体１及びオットマン３に装着された肘掛け部材２の上面位置とは略同一に構成され、且つ、ソファ本体１の奥行きと肘掛け部材２が装着されたオットマン３の奥行きとは略同一に構成されるので、座面高さと背もたれ高さ（又は肘掛け高さ）と座面奥行きとが略同一の、一体感のあるＬ字型のソファを実現できる。
【００４７】
また、オットマン３の短辺（６５０ｍｍ＝ａ＋ｂ）と長クッション４の短辺とは略同サイズに構成され、且つ、ソファ本体１の座面１ａ１の奥行き（６５０ｍｍ＝ａ＋ｂ）と、オットマン３の長辺（８００ｍｍ＝２ａ＋ｂ）との合計は、長クッション４の長辺サイズ（１４５０ｍｍ＝３ａ＋２ｂ）と略同サイズに構成されるので、長クッション４を、ソファ本体１とオットマン３とに収まりよく載置できる。
【００４８】
加えて、長クッション４の短辺（６５０ｍｍ＝ａ＋ｂ）と、小クッション５の短辺（５００ｍｍ＝ｂ）と、中クッション６の長辺（８００ｍｍ＝２ａ＋ｂ）との合計は、ソファ本体１の幅（１９５０ｍｍ＝３ａ＋３ｂ）と略同一に構成され、且つ、小クッション５の長辺（６００ｍｍ＝ａ＋ｂ）と、中クッション６の短辺とは、それぞれソファ本体１の座面１ａ１の奥行きと略同一に構成される。よって、長クッション４が載置されたソファ本体１の残りの座面１ａ１上に、小クッション５と中クッション６とを収まりよく載置できる。
【００４９】
以上の通り、本実施形態の組み替え式ソファ１０によれば、ソファ本体１と、２つの肘掛け部材２，２と、オットマン３と、長クッション４と、小クッション５と、中クッション６との６つの部材を使用して、上記第１〜第９の９パターンものバリエーションを実現できる。即ち、新たな部材の追加や、使用している部材のいずれかを余らすことなく、上記第１〜第９の９パターンものバリエーションを実現できる。よって、本組み替え式ソファ１０を使用するユーザーが、あるパターンで使用した後、別のパターンに使用状態を変更しようとする場合にも、新たな部材の追加が不要であるので、使用状態のパターン変更を確実に行うことができる。
【００５０】
また、余らせる部材がないので、使用状態のパターンを変更した場合に、片付けておく部材が無い。片付けておく部材があると、その片付けスペースが必要になるし、片付けておいても、いつしかそれを紛失することがある。一般に、片付けておいた部材を紛失すると、使用できないパターンが生じてくる。しかし、本実施形態の組み替え式ソファ１０によれば、各パターンを実現する上で、片付けておく部材が無いので、かかる片付けスペースの確保が不要になるし、片付けておいた部材の紛失の危険性も回避することができる。
【００５１】
図７は、第１〜第９パターンのバリエーションに、３つの背もたれクッション７を組み合わせた使用例を示した斜視図である。本実施形態の組み替え式ソファ１０に、背もたれクッション７を加えれば、更にバリエーションに富んだ使用パターンを実現することができる。
【００５２】
以上、各実施形態に基づき本考案を説明したが、本考案は上記実施形態に何ら限定されるものではなく、本考案の趣旨を逸脱しない範囲内で種々の改良変更が可能であることは容易に推察できるものである。
【００５３】
例えば本実施形態の組み替え式ソファ１０は、寸法として、ａ＝１５０ｍｍ、ｂ＝５００ｍｍとのサイズで構成されたが、必ずしもこれに限られるものではなく、寸法ａ，ｂを他のサイズで構成することは当然に可能である。即ち、寸法ａ，ｂを変更することにより、上記第１〜第９パターンの９つのバリエーションを実現できる組み替え式ソファ１０を、各種サイズ製作できる。
【００５４】
また各クッション４〜６は、十分な弾性を有するので、必ずしも上記寸法と同一である必要は無い。即ち、各クッション４〜６を、その弾性変形分を考慮して、ソファ本体１やオットマン３の座面サイズ１ａ１，３ａ１より、若干大きめなサイズで構成しても良い。具体的には、本実施形態で例示した各クッション４〜６のサイズに対して、約５〜１５ｍｍ程度大きめに、各クッション４〜６を構成するようにしても良い。約５〜１５ｍｍ程度大きめに構成された各クッション４〜６については、その大きめに構成されたサイズを基準に「略同一」を判断するものである。
【００５５】
上記実施形態では、各クッション４〜６を除いた状態を、組み替え式ソファ１０の第１〜第９パターンのバリエーションとしても良いし、各クッション４〜６を使用した状態を、組み替え式ソファ１０の第１〜第９パターンのバリエーションとしても良い。即ち、本考案を各クッション４〜６を使用しない椅子に適用しても良い。
【００５６】
上記実施形態では、ソファ本体１及びオットマン３は、脚部１ｃ，３ｂを有して構成された。しかし必ずしもこれに限られるものではなく、ソファ本体１やオットマン３の脚部１ｃ，３ｂを無くして、ソファ本体１やオットマン３の座部１ａ，３ａが床面まで到達する構成としても良い。
【００５７】
上記実施形態では、肘掛け部材２のＬ字金具２ａを、ソファ本体１やオットマン３の金具１ａ２，３ａ２にボルトを介して結合することで、肘掛け部材２を、ソファ本体１やオットマン３に着脱自在に装着した。しかし必ずしもこれに限られるものではなく、肘掛け部材２を、ソファ本体１やオットマン３に着脱自在に装着できるものであれば、他の方式を採用するようにしてもよい。
【符号の説明】
【００５８】
１        ソファ本体
１ａ      座部
１ａ１    座面
１ｂ      背もたれ部
２        肘掛け部材
３        オットマン
３ａ      座部
３ａ１    座面
４        長クッション（第１クッション）
５        小クッション（第２クッション）
６        中クッション（第３クッション）
１０      組み替え式ソファ
【図１】
0003206400.tif 000003
【図２】
0003206400.tif 000004
【図３】
0003206400.tif 000005
【図４】
0003206400.tif 000006
【図５】
0003206400.tif 000007
【図６】
0003206400.tif 000008
【図７】
0003206400.tif 000009